(57)【要約】【課題】線材等を用いた不正解錠に対する防御性能に優れた遊技機を提供する。【解決手段】パチンコ機１０は、外枠１１と、これに対し開閉可能に支持された内枠１２と、内枠１２の前面側において、当該内枠１２に対し開閉可能に支持された前面枠セット１４とを備えるとともに、外枠１１に対し内枠１２を施錠する施錠機構と、内枠１２に対し前面枠セット１４を施錠する施錠機構とを一体化した施錠装置を備えている。この施錠装置は、前面枠セット１４の施錠時には当該前面枠セット１４により覆われる内枠１２の前面側において取付けられている。そして、外枠１１等に係合される内枠鉤部等の各鉤部だけが、内枠１２の背面側に露出した状態となる。【選択図】      図１
2020072822.tif 000002
【特許請求の範囲】
【請求項１】
固定枠に対し左右一側部にて開閉可能に支持された遊技機本体と、
前記遊技機本体の前面側において、当該遊技機本体に対し前記左右一側部にて開閉可能に支持された前扉体とを備えるとともに、
前記固定枠に対し前記遊技機本体を施錠する本体施錠機構と、前記遊技機本体に対し前記前扉体を施錠する前扉体施錠機構とを具備した施錠装置が前記遊技機本体の左右他側部に沿って取付けられる遊技機であって、
前記前扉体の施錠時には当該前扉体により覆われる前記遊技機本体の前面側において、前記施錠装置を取付ける装置取付部を備え、
前記施錠装置は、
前記装置取付部に固定される基枠部材と、
前記基枠部材に固定され、鍵により操作される錠部材とを備えるとともに、
前記基枠部材の背面側において、
前記装置取付部に形成された挿通孔を介して前記遊技機本体の背面側に突出する係合部を有し、当該係合部が前記固定枠側に設けられた被係合部に係合されて前記遊技機本体の開放を規制する施錠状態と、当該係合部が前記被係合部から離脱して前記遊技機本体の開放を許容する解錠状態とに、前記鍵の操作に応じた前記錠部材の動作に連動して切換わる前記本体施錠機構を備えていることを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、メンテナンス等の観点から遊技機本体（内枠）が固定枠（外枠）に対し開閉可能に設けられている。そのため、店員以外の者が無断で遊技機本体を開放できないように、遊技機には施錠装置が設けられている。かかる施錠装置としては、専用の鍵を用いて操作されるシリンダ錠と、固定枠に設けられた複数の被係止部に対しそれぞれ係脱可能に設けられた複数の鉤部材と、鍵によるシリンダ錠の解錠操作に応じて複数の鉤部材を連動させる伝達機構とを備えたものが知られている。そして、施錠状態では各鉤部材がそれぞれ対応する被係止部に係合することで遊技機本体が固定枠に対し開放不能となる。他方、専用の鍵でシリンダ錠を解錠操作することにより伝達機構を介して各鉤部材が被係止部から同時に離脱し、遊技機本体が開放可能となる（例えば特許文献１参照）。
【０００３】
近年、遊技ホールでは、営業中に遊技機本体を不正に解錠し、本体裏側に設けられた制御機器を不正に操作したり交換する等して、多くの遊技媒体を獲得する不正行為が行われることもある。このような不正解錠は、通常、遊技機本体と固定枠との隙間から針金等の線材を差込み、当該線材を鉤部材、シリンダ錠のカム板、伝達機構などに引っ掛けて解錠方向に動かすことにより行われる。鉤部材等に対して不正な解錠操作が行われると、鉤部材が被係止部から離脱し、遊技機本体が開放可能となる。
【先行技術文献】
【特許文献】
【０００４】
【特許文献１】特開２００４−０２４３３７号公報
【発明の概要】
【発明が解決しようとする課題】
【０００５】
しかしながら、従来、施錠装置は、遊技機本体の背面側に設けられており、鉤部材、シリンダ錠のカム板、伝達機構など線材等を引っ掛けやすい各種機構が背面側に露出した状態となっている。そのため、遊技機本体と固定枠との隙間から針金等の線材を差込み、遊技機本体を不正に開放するといった不正行為が比較的容易に行われるおそれがあった。
【０００６】
なお、上記課題は、パチンコ機に限らず、同様の施錠構造を有する他の遊技機にも該当する問題である。
【０００７】
本発明は、上記課題を解決するためになされたものであり、その目的は、線材等を用いた不正解錠に対する防御性能に優れた遊技機を提供することにある。
【課題を解決するための手段】
【０００８】
以下、上記課題等を解決するのに適した各手段を項分けして説明する。なお、必要に応じて対応する手段に特有の作用効果等を付記する。
【０００９】
手段１．固定枠に対し左右一側部にて開閉可能に支持された遊技機本体と、
前記遊技機本体の前面側において、当該遊技機本体に対し前記左右一側部にて開閉可能に支持された前扉体とを備えるとともに、
前記固定枠に対し前記遊技機本体を施錠する本体施錠機構と、前記遊技機本体に対し前記前扉体を施錠する前扉体施錠機構とを具備した施錠装置が前記遊技機本体の左右他側部に沿って取付けられる遊技機であって、
前記前扉体の施錠時には当該前扉体により覆われる前記遊技機本体の前面側において、前記施錠装置を取付ける装置取付部を備え、
前記施錠装置は、
前記装置取付部に固定される基枠部材と、
前記基枠部材に固定され、鍵により操作される錠部材とを備えるとともに、
前記基枠部材の背面側において、
前記装置取付部に形成された挿通孔を介して前記遊技機本体の背面側に突出する係合部を有し、当該係合部が前記固定枠側に設けられた被係合部に係合されて前記遊技機本体の開放を規制する施錠状態と、当該係合部が前記被係合部から離脱して前記遊技機本体の開放を許容する解錠状態とに、前記鍵の操作に応じた前記錠部材の動作に連動して切換わる前記本体施錠機構を備えていることを特徴とする遊技機。
【００１０】
上記手段１によれば、施錠装置が遊技機本体の前面側に取付けられており、固定枠側の被係合部に係合される本体施錠機構の係合部だけが、遊技機本体の背面側に露出した状態となる。このため、遊技機本体の背面側に露出する部分を極力少なくでき、仮に遊技機本体と固定枠との隙間から針金等の線材を差込み、遊技機本体を不正に解錠する不正行為を行おうとした場合でも、線材を引っ掛けることのできる部位が少なく、前記不正行為を行うことはより困難となる。結果として、線材等を用いた不正解錠に対する防御性能を高めることができる。
【００１１】
なお、以下の手段においても同様であるが、係合部及びこれに対応する挿通孔や被係合部の数は１つに限定されるものではなく、これらを複数備えた構成としてもよい。
【００１２】
また、上記「左右一側部」とは、左右方向における一方側を指し、「左右一側部」が例えば「右側部」であれば、「左右他側部」は「左側部」となる。逆に、「左右一側部」が「左側部」であれば、「左右他側部」は「右側部」となる。
【００１３】
また、錠部材の例としては、鍵が挿入されて回動操作されるシリンダ錠などが挙げられる。この場合、鍵により操作される作動部は、回動可能に設けられた錠軸や、当該錠軸に固定された係合片（カム板）等から構成されることとなる。
【００１４】
また、上記手段では、「前記前扉体の施錠時には当該前扉体により覆われる前記遊技機本体の前面側において、前記施錠装置を取付ける装置取付部を備え」ている。つまり、前扉体の施錠時には当該前扉体により施錠装置が覆われる構成となっているが、もちろん、前扉体の施錠時において、少なくとも錠部材の鍵穴は、前扉体に形成される錠孔や切欠き部を介して、遊技機前面側（前扉体の前面側）に露出する構成となっている。
【００１５】
手段２．前記装置取付部は前記遊技機本体の左右他側部に沿って形成された溝部であって、前記施錠装置は当該溝部に嵌め込まれることを特徴とする手段１に記載の遊技機。
【００１６】
上記手段２によれば、施錠装置が溝部に嵌め込まれることで、基枠部材の背面側に設けられた本体施錠機構が、溝部及び基枠部材により周囲を囲まれた状態となる。このため、仮に前扉体と遊技機本体との隙間から線材等が差込まれた場合でも、本体施錠機構が配設された基枠部材の背面側まで線材等を進入させ、本体施錠機構を操作することは困難となる。結果として、さらなる防御性能の向上を図ることができる。
【００１７】
手段３．前記基枠部材は、背面側に向け凹となる横断面略コ字状に形成されていることを特徴とする手段１又は２に記載の遊技機。
【００１８】
上記手段３によれば、本体施錠機構が配設された基枠部材の背面側まで線材等を進入させ、本体施錠機構を操作することは困難となる。結果として、手段１，２との相乗効果により、さらなる防御性能の向上を図ることができる。
【００１９】
手段４．前記施錠装置は、前記装置取付部に対し前記遊技機本体の前面側から所定の固定手段により固定されることを特徴とする手段１乃至３のいずれかに記載の遊技機。
【００２０】
上記手段４によれば、施錠装置を遊技機本体の前面側からネジ等の固定手段により固定する構造となっているため、遊技機本体の背面側に設けられる各種制御装置や配線等に妨げられることなく、取付け作業や取替え作業等を比較的容易に行うことが可能となる。結果として、作業性の向上など利便性の向上を図ることができる。
【００２１】
手段５．前記固定枠における前記被係合部より後方位置において、少なくとも前記施錠装置に対応する上下区間全域を前記遊技機本体の背面側から覆う遮蔽部材を備えていることを特徴とする手段１乃至４のいずれかに記載の遊技機。
【００２２】
上記手段５によれば、固定枠の背面側から線材等を進入させ、当該線材等により本体施錠機構を操作することがさらに困難となる。結果として、上記手段１等との相乗効果により、さらなる防御性能の向上を図ることができる。上記遮蔽部材は、少なくとも施錠装置に対応する上下区間全域を遊技機本体の背面側から覆うように設けられているため、被係合部及び当該被係合部に係合される本体施錠機構の係合部の周辺のみを部分的に覆う遮蔽部材に比べて、より高い防御性能を得ることができる。
【００２３】
手段６．前記固定枠の被係合部に係合された前記本体施錠機構の係合部を囲うカバー部材を備えたことを特徴とする手段１乃至５のいずれかに記載の遊技機。
【００２４】
上記手段６によれば、線材等により係合部と被係合部との係合を外すことは困難となる。結果として、上記手段１等との相乗効果により、さらなる防御性能の向上を図ることができる。また、前記被係合部と前記カバー部材とを一体形成すれば、部品点数の削減を図ることができる。
【００２５】
手段７．前記本体施錠機構は、前記錠部材の動作に連動して上下方向に摺動する摺動部材を備え、
前記係合部は、前記摺動部材に対し相対変位不能に設けられ、
前記錠部材に前記鍵の挿入がない場合には、前記摺動部材と係合する前記錠部材の係合部材が変位不能となり、前記係合部材により前記摺動部材の摺動変位が規制されることを特徴する手段１乃至６のいずれかに記載の遊技機。
【００２６】
上記手段７によれば、錠部材に鍵が挿し込まれないと、錠部材のロック状態が解除されず、錠部材の係合部材（カム板等）に係合した摺動部材が摺動できない。さらに、係合部が摺動部材に対し相対変位不能に設けられている。このため、例えば、鍵を用いずに線材等によって係合部に対し直接の解錠操作、すなわち不正な解錠操作が行われた場合には、カムが動かないため、摺動部材の解錠方向への摺動変位が規制される。これにより、係合部は係合位置に維持されるため、遊技機本体等の開放は許容されない。結果として、上記手段１等との相乗効果により、さらなる防御性能の向上が図られる。また、係合部が「摺動部材に対し相対変位不能に設けられ」ている構成例としては、係合部が摺動部材に一体形成された構成や、係合部が摺動部材に対し相対変位不能に固定された構成などが挙げられる。
【００２７】
手段８．前記遊技機本体の背面側において、当該遊技機本体に対し前記左右一側部にて開閉可能に支持された後扉体を備え、
前記施錠装置は、
前記基枠部材の背面側において、
前記装置取付部に形成された挿通孔を介して前記遊技機本体の背面側に突出する係合部を有し、当該係合部が前記後扉体側に設けられた被係合部に係合されて前記後扉体の開放を規制する施錠状態と、当該係合部が前記被係合部から離脱して前記後扉体の開放を許容する解錠状態とに、前記鍵の操作に応じた前記錠部材の動作に連動して切換わる後扉体施錠機構を備えていることを特徴とする手段１乃至７のいずれかに記載の遊技機。
【００２８】
上記手段８によれば、本体施錠機構、前扉体施錠機構及び後扉体施錠機構を１つの施錠装置に一体化しているため、部品点数の増加を抑制することができる。また、遊技機本体の背面側の制御機器等を覆うように後扉体が配置される構成では、上記後扉体施錠機構を備えることにより制御機器等に対する不正行為を行うことは困難となる。なお、後扉体の数、及び、これに対応する係合部、被係合部、挿通孔などの数は１つに限定されるものではなく、これらを複数備えた構成としてもよい。
【００２９】
手段９．前記施錠装置は、
前記錠部材に鍵を挿入した状態で第１の操作を行うことで前記固定枠に対する前記遊技機本体の施錠状態が解錠され、
前記錠部材に鍵を挿入した状態で第２の操作を行うことで前記遊技機本体に対する前記前扉体及び前記後扉体の施錠状態が解錠されることを特徴とする手段８に記載の遊技機。
【００３０】
上記手段９によれば、１つの錠部材に対し鍵を挿し込み、それぞれ異なる操作を行うことで、遊技機本体又は前扉体及び後扉体の解錠操作を行うことができる。つまり、１つの鍵によって遊技機本体、前扉体及び後扉体の解錠操作を行うことができるため、複数の鍵を使い分けるといった面倒もなく、メンテナンス時等における作業性の向上など利便性の向上を図ることができる。なお、第１及び第２の操作としては、例えば錠部材がシリンダ錠などの場合、一方への回動操作、及び、他方への回動操作が挙げられる。
【００３１】
さらに、上記手段９では、第２の操作といった同一操作により、後扉体及び前扉体の両者を解錠することができる。つまり、前扉体施錠機構及び後扉体施錠機構は、「第１の係合部が前扉体側の被係合部に係合されて前扉体の開放を規制し、かつ、第２の係合部が後扉体側の被係合部に係合されて後扉体の開放を規制する施錠状態と、第１の係合部が前扉体側の被係合部から離脱して前扉体の開放を許容し、かつ、第２の係合部が後扉体側の被係合部から離脱して後扉体の開放を許容する解錠状態とに、前記鍵による操作に応じた錠部材の動作に連動して切換わる施錠機構」として一体的に構成されている。結果として、構成や操作手順の簡素化を図り、さらなる利便性の向上を図ることができる。また、上記手段９に代えて、例えば、「前記錠部材に鍵を挿入した状態で第１の操作を行うことで前記固定枠に対する前記遊技機本体の施錠状態が解錠され、前記錠部材に鍵を挿入した状態で第２の操作を行うことで前記遊技機本体に対する前記前扉体の施錠状態が解錠され、前記錠部材に鍵を挿入した状態で第３の操作を行うことで前記遊技機本体に対する前記後扉体の施錠状態が解錠される」構成としてもよい。この場合、第１乃至第３の操作としては、例えばシリンダ錠においては、一方への回動操作、他方への回動操作、又は、錠軸を奥側へスライドさせた状態での一方若しくは他方への回動操作等のうち、互いに相違する任意の操作の組み合わせが挙げられる。
【００３２】
以下に、上記各手段が適用される各種遊技機の基本構成を示す。
【００３３】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【００３４】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【００３５】
Ｃ．上記各手段における前記遊技機、又は、上記各弾球遊技機は、パチンコ機又はパチンコ機に準ずる遊技機であること。
【００３６】
さらに、手段４等は、以下のような遊技機にも適用される。
【００３７】
Ｄ．上記遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【発明の効果】
【００３８】
本発明によれば、線材等を用いた不正解錠に対する防御性能に優れた遊技機を提供することができる。
【図面の簡単な説明】
【００３９】
【図１】一実施形態におけるパチンコ機を示す正面図である。
【図２】パチンコ機の斜視図である。
【図３】パチンコ機の右側面図である。
【図４】内枠や前面枠セット等を開放した状態を示す斜視図である。
【図５】外枠の構成を示す斜視図である。
【図６】内枠及び遊技盤の構成を示す正面図である。
【図７】内枠の構成を示す背面図である。
【図８】パチンコ機の構成を示す背面図である。
【図９】電気的構成を示すブロック図である。
【図１０】施錠装置を背面左側から見た斜視図である。
【図１１】施錠装置を背面右側から見た斜視図である。
【図１２】施錠装置を正面左側から見た斜視図である。
【図１３】施錠装置を正面右側から見た斜視図である。
【図１４】施錠装置の背面図である。
【図１５】施錠装置の右側面図である。
【図１６】施錠装置の左側面図である。
【図１７】施錠装置の正面図である。
【図１８】背面側から見た施錠装置の分解図である。
【図１９】側面側から見た施錠装置の分解図である。
【図２０】鍵の非挿入時におけるシリンダ錠を示す断面図である。
【図２１】鍵の挿入時におけるシリンダ錠を示す断面図である。
【図２２】（ａ）〜（ｃ）はカム板等の作用を説明するための図である。
【図２３】前面枠セットを取外すとともに、施錠装置を取付溝部から取外した状態を示す斜視図である。
【図２４】前面枠セットを取外すとともに、施錠装置を取付溝部に取付けた状態を示す斜視図である。
【発明を実施するための形態】
【００４０】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２、前面枠セット１４、第２制御基板ユニット２０２及び裏パックユニット２０３を開放した状態を示す斜視図である。但し、図４では便宜上、遊技盤３０面上に配設される釘や役物、膨出部４０に配設される発射装置７０や球通路７１などを省略して示している。
【００４１】
図１乃至図４に示すように、パチンコ機１０は、当該パチンコ機１０の外郭を構成する固定枠としての外枠１１を備えており、この外枠１１の一側部に遊技機本体としての内枠１２が開閉可能に支持されている。
【００４２】
ここで、外枠１１について図５を参照しつつ説明する。本実施形態における外枠１１は、例えば上下辺部１１ａ，１１ｂが木製の板材により構成され、左右側辺部１１ｃ，１１ｄがアルミ製の板材により構成され、これら各板材が小ネジ等の離脱可能な締結具により全体として矩形枠状に組み付けられている。
【００４３】
左側辺部１１ｃの上下端部には、それぞれ上ヒンジ８１及び下ヒンジ８２が設けられている。当該上ヒンジ８１及び下ヒンジ８２にて、内枠１２の上下部が回動可能に支持されており、これにより内枠１２が開閉可能となる。
【００４４】
また、右側辺部１１ｄには、その後端縁部から外枠１１の内方向に向け突出した遮蔽部材としての延出壁部８３が形成されている。延出壁部８３は、少なくとも後述する施錠装置６００に対応する上下区間全域を内枠１２の背面側から覆うように、上辺部１１ａから下辺部１１ｂにかけて形成されている（図８参照）。
【００４５】
延出壁部８３の前面側には、後述する施錠装置６００の内枠鉤部６３７，６３８に対応して、上下一対の鉤受部８４，８５が設けられている。鉤受部８４，８５は、箱状をなし、その前面部には内枠鉤部６３７，６３８が進入する鉤孔部８４ａ，８５ａが形成されている。これにより、内枠鉤部６３７，６３８は、鉤孔部８４ａ，８５ａを介して鉤受部８４，８５内に進入した状態で、当該鉤受部８４，８５の内側（鉤孔部８４ａ，８５ａ周縁）にて係止される。内枠鉤部６３７，６３８が鉤受部８４，８５に係合した状態では、鉤受部８４，８５の周壁部が内枠鉤部６３７，６３８の周囲を囲んだ状態となる。従って、鉤受部８４，８５は、本実施形態における被係合部としての機能と、カバー部材としての機能を併せ持つこととなる。
【００４６】
また、右側辺部１１ｄの内側面には、上下方向に沿って複数のリブ８９が形成されている。これにより、内枠１２の閉時においては、内枠１２と外枠１１との隙間から針金等の線材を差込むことは難しくなる。
【００４７】
さらに、外枠１１の下辺部１１ｂには、樹脂製の幕板飾り８６が取着されている。幕板飾り８６の上面奥部には、上方に突出するリブ８８が一体形成されている。これにより内枠１２との間に隙間が形成されにくくなっている。
【００４８】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００４９】
また、内枠１２の前面側には、前扉体としての前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００５０】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００５１】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００５２】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００５３】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００５４】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００５５】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図９参照）が設けられるとともに、当該スピーカＳＰの前側にスピーカカバー２４が取着されている。
【００５６】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００５７】
次に、内枠１２（樹脂ベース３８）について図６，図７を参照して説明する。図６は、内枠及び遊技盤の構成を示す正面図であり、図７は、内枠の構成を示す背面図である。
【００５８】
上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００５９】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００６０】
次に、遊技盤３０の構成について図６を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００６１】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００６２】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００６３】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００６４】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００６５】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００６６】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００６７】
内レール構成部５１の先端部分（図６の左上部）には戻り球防止部材５３が取着されている。これにより、一旦、レール５０から遊技盤３０の上部へと案内された遊技球が再度レール５０内に戻ってしまうといった事態が防止される。
【００６８】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００６９】
次に、パチンコ機１０の背面構成について図７，図８を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００７０】
なお、第１制御基板ユニット２０１、第２制御基板ユニット２０２及び裏パックユニット２０３は、ユニット単位で着脱できるように構成されるとともに、内枠１２又は遊技盤３０の裏面に対し個別に開閉できるように構成されている。図７，８に示すように、第２制御基板ユニット２０２の左側部（背面側右側部）には上下一対の支軸１９４が設けられており、この支軸１９４を内枠１２の左側部に設けられた上下一対の軸受け部１９５に上方から挿通させることで、第２制御基板ユニット２０２が内枠１２に対して開閉可能に支持される。同様に、裏パックユニット２０３の左側部には上下一対の支軸１９６が設けられており、この支軸１９６を内枠１２の左側部に設けられた上下一対の支持孔部１９７に上方から挿通させることで、裏パックユニット２０３が内枠１２に対して開閉可能に支持される。なお、第１制御基板ユニット２０１に関しても、遊技盤３０の背面側において開閉可能に支持されているが、ここでは便宜上、その開閉機構の図示を省略する。さらに、第２制御基板ユニット２０２及び裏パックユニット２０３に関しては、後述するように施錠装置６００により自身の右側部（背面側左側部）にて施錠される構成となっている。そして、両ユニット２０２，２０３が施錠状態にある場合には、第１制御基板ユニット２０１の背面側の大部分が裏パックユニット２０３により覆われた状態となり、第１制御基板ユニット２０１が着脱不能となっている。第２制御基板ユニット２０２及び裏パックユニット２０３は、本実施形態における後扉体に相当する。
【００７１】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００７２】
また、遊技盤３０の裏面には、可変表示装置ユニット３５を取り囲むようにして裏枠セット２１５が取付けられている。この裏枠セット２１５は、遊技盤３０の裏面に張り付くようにして設けられる薄型の樹脂成形品であって、各種入賞口に入賞した遊技球を回収するための球回収機構２１６を備えている。また、第２制御基板ユニット２０２には、球回収機構２１６の下方位置において排出通路部２１７が形成されており、該排出通路部２１７には排出球をパチンコ機１０外部へ排出する排出シュート２１８が形成されている（図８参照）。従って、一般入賞口３１等に入賞した遊技球は何れも裏枠セット２１５の球回収機構２１６を介して集合し、さらに排出通路部２１７の排出シュート２１８を介してパチンコ機１０外部に排出される。なお、アウト口３６も同様に排出通路部２１７に通じており、何れの入賞口にも入賞しなかった遊技球も排出シュート２１８を介してパチンコ機１０外部に排出される。
【００７３】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００７４】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００７５】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００７６】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００７７】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００７８】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００７９】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００８０】
次に、裏パックユニット２０３の構成を説明する。裏パックユニット２０３は、樹脂成形された裏パック３５１と遊技球の払出機構部３５２とを一体化したものである。
【００８１】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００８２】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００８３】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００８４】
次に、パチンコ機１０の電気的構成について説明する。図９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００８５】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００８６】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００８７】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００８８】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００８９】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００９０】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００９１】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００９２】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００９３】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００９４】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００９５】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【００９６】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【００９７】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【００９８】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【００９９】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１００】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１０１】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１０２】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１０３】
次に、内枠１２の施錠機構、前面枠セット１４の施錠機構、第２制御基板ユニット２０２及び裏パックユニット２０３の施錠機構について図１０乃至図１９を参照して説明する。本実施形態では、内枠１２は外枠１１に対し施錠され、前面枠セット１４、第２制御基板ユニット２０２及び裏パックユニット２０３はそれぞれ内枠１２に対し施錠される。これらの施錠機構は単一の施錠装置６００によって具現化されている。後述するように施錠装置６００は、錠孔９７を介して前面枠セット１４の前面側に露出するシリンダ錠７００（図１等参照）を備えており、該シリンダ錠７００の鍵穴７０２に鍵Ｋを挿入し、一方に回動操作することで内枠１２を解錠でき、他方に回動操作することで前面枠セット１４、第２制御基板ユニット２０２及び裏パックユニット２０３を解錠できるようになっている。ここで、図１０は施錠装置６００を背面左側から見た斜視図であり、図１１は施錠装置６００を背面右側から見た斜視図であり、図１２は施錠装置６００を正面左側から見た斜視図であり、図１３は施錠装置６００を正面右側から見た斜視図である。また、図１４は、施錠装置６００の背面図であり、図１５は右側面図、図１６は左側面図、図１７は正面図である。図１８は、背面側から見た施錠装置６００の分解図であり、図１９は、側面側から見た施錠装置６００の分解図である。
【０１０４】
施錠装置６００は、内枠１２の右側辺部前面側に取付けられている。施錠装置６００の外郭を構成する基枠部材としての縦長の基枠６０１は、内枠１２に固定される取付部としての取付板６０２と、当該取付板６０２の内枠１２内方側（窓孔３９側）の端縁から後方に突出した支持部としての支持板６０３と、取付板６０２の内枠１２外方側の端縁から後方に突出したフランジ部６０４とを備えており、これらが一体となって横断面略コ字状をなしている。なお、施錠装置６００を構成する基枠６０１などの各部材は、金属平板をプレス成形等することにより形成されている。
【０１０５】
取付板６０２では、シリンダ錠７００の配置位置に対応する所定の上下区間が他部位より左右方向に幅広の幅広部６０２ａとなっており、支持板６０３では、前記幅広部６０２ａに対応する上下区間が内枠１２内方側へ膨出した膨出部６０３ａとなっている。これは、遊技領域や各種制御基板等の設置スペースをより広く確保するために、施錠装置６００全体の横幅を極力狭くしつつ、シリンダ錠７００の配設位置においては、その設置スペースを確保するためである。
【０１０６】
なお、図２３に示すように、内枠１２の前面側には、施錠装置６００を取付けるための装置取付部としての取付溝部９０１が右側辺部に沿って形成されている。取付溝部９０１には、複数のボス９０２が突設されている。これに対応して、取付板６０２には、複数のネジ孔９０３が穿設されている。これにより、施錠装置６００は、取付溝部９０１に嵌め込まれた状態でネジ９０４によりボス９０２に固定される。また、図２４に示すように、施錠装置６００が取付溝部９０１に嵌め込まれた状態では、支持板６０３及びフランジ部６０４がそれぞれ取付溝部９０１の側壁面に略当接状態となっている。図２３は、前面枠セット１４を取外すとともに、施錠装置６００を取付溝部９０１から取外した状態を示す斜視図である。図２４は、前面枠セット１４を取外すとともに、施錠装置６００を取付溝部９０１に取付けた状態を示す斜視図である。但し、図２３，２４では便宜上、遊技盤３０面上に配設される釘や役物、膨出部４０に配設される発射装置７０や球通路７１などを省略して示している。
【０１０７】
また、図７に示すように、取付溝部９０１の奥壁部９０１ａには、後述する基板ユニット鉤部６２０及び裏パック鉤部６２１，６２２に対応して、内枠１２の背面側へ貫通する挿通孔９０５，９０６，９０７が形成されている。これにより、基板ユニット鉤部６２０及び裏パック鉤部６２１，６２２は、挿通孔９０５，９０６，９０７を介して、内枠１２の背面側へ突出している。同様に、取付溝部９０１の奥壁部９０１ａには、内枠鉤部６３７，６３８に対応して挿通孔９０８，９０９が形成されており、内枠鉤部６３７，６３８は当該挿通孔９０８，９０９を介して、内枠１２の背面側へ突出している。
【０１０８】
ここで、先ず前面枠セット１４の施錠機構（前扉体施錠機構）、第２制御基板ユニット２０２の施錠機構（第１の後扉体施錠機構）及び裏パックユニット２０３の施錠機構（第２の後扉体施錠機構）に係る部分について説明する。基枠６０１の内側には、これらの施錠機構の主要構成部となる第１摺動杆６０５が上下方向に摺動可能なように配設されている。
【０１０９】
第１摺動杆６０５は、取付板６０２に略当接状態で摺動する取付側壁部６０６と、支持板６０３に略当接状態で摺動する支持側壁部６０７とからなり、横断面Ｌ字状をなす。
【０１１０】
取付側壁部６０６は、シリンダ錠７００の取付けの妨げにならないように、シリンダ錠７００の配置位置に対応する所定の上下区間（上記取付板６０２の幅広部６０２ａに対応する所定の上下区間）が切り欠かれた状態となっている。
【０１１１】
これに合わせて、支持板６０３の膨出部６０３ａに対応する支持側壁部６０７の所定の上下区間には、内枠１２内方側へ膨出した膨出部６０７ａが形成されている。但し、支持側壁部６０７の膨出部６０７ａの形成区間は、支持板６０３の膨出部６０３ａの形成区間よりも短く設定されており、第１摺動杆６０５の摺動の妨げとならないようになっている。
【０１１２】
さらに、取付側壁部６０６の内枠１２外方側の端縁部は、上述した取付板６０２のネジ孔９０３やボス９０２の妨げにならないように、これらに対応する複数箇所が切欠き状に凹んだ凹凸形状となっている。
【０１１３】
さて、第１摺動杆６０５には、取付側壁部６０６の上部、中部及び下部の３箇所に、前面枠セット１４施錠用の係合部としての前面枠セット施錠部６１０，６１１，６１２が設けられている。
【０１１４】
前面枠セット施錠部６１０，６１１，６１２には、それぞれ略矩形状の係合孔６１０ａ，６１１ａ，６１２ａが形成されている。また、取付板６０２には、前面枠セット施錠部６１０，６１１，６１２（係合孔６１０ａ，６１１ａ，６１２ａ）に対応して、上下方向３箇所に矩形状の挿入孔６３１，６３２，６３３が形成されている。そして、後述する通常時には、係合孔６１０ａ，６１１ａ，６１２ａが取付板６０２の挿入孔６３１，６３２，６３３の上部に重なるように位置するとともに、前面枠セット施錠部６１０，６１１，６１２により挿入孔６３１，６３２，６３３の下部が塞がされた状態となっている。
【０１１５】
一方、前面枠セット１４の背面側左側辺部には、前面枠セット施錠部６１０，６１１，６１２に対応して、上下方向３箇所に被係合部としての前面枠セット鉤部１７ａ，１７ｂ，１７ｃが突設されている（図４参照）。そして、前面枠セット１４を閉鎖する際においては、後述するように前面枠セット鉤部１７ａ，１７ｂ，１７ｃが、取付板６０２の挿入孔６３１，６３２，６３３を介して、前面枠セット施錠部６１０，６１１，６１２の係合孔６１０ａ，６１１ａ，６１２ａへ進入するようになっている。
【０１１６】
なお、前面枠セット鉤部１７ａ，１７ｂ，１７ｃは、図４に示すように、その後端側において後方へ先細りするように設けられた略三角形状の頭部を有しており、この頭部の下端部が係止爪として下方へ突出している。従って、前面枠セット鉤部１７ａ，１７ｂ，１７ｃは、自身の下側において前面枠セット施錠部６１０，６１１，６１２に係止されることとなる。
【０１１７】
上記構成により、前面枠セット１４の施錠状態においては、前面枠セット鉤部１７ａ，１７ｂ，１７ｃが前面枠セット施錠部６１０，６１１，６１２の係合孔６１０ａ，６１１ａ，６１２ａを介して、前面枠セット施錠部６１０，６１１，６１２の背面側にて係止され、前面枠セット１４の開放が規制される。
【０１１８】
また、第１摺動杆６０５の下端部近傍には、支持側壁部６０７の後端縁部において、第２制御基板ユニット２０２施錠用の係合部としての基板ユニット鉤部６２０が設けられている。基板ユニット鉤部６２０は、下側の前面枠セット施錠部６１２よりやや上方位置で、支持側壁部６０７の膨出部６０７ａ（シリンダ錠７００の配置位置）より下方位置に位置している。
【０１１９】
基板ユニット鉤部６２０についてより詳しく説明すると、基板ユニット鉤部６２０は、支持側壁部６０７の後端縁部から後方へ延出し、その上辺部に係合凹部６２０ａが形成され、当該係合凹部６２０ａより後方の頭部６２０ｂは後方へ向け先細りしている。
【０１２０】
一方、第２制御基板ユニット２０２には、その前面側右側辺（図４参照）に沿って、被係合部としての長尺状の受け金具２０５が取付けられている。受け金具２０５には、基板ユニット鉤部６２０に対応して、その下部に矩形状の係合孔２０５ａが形成されている。
【０１２１】
そして、第２制御基板ユニット２０２を閉鎖する際においては、基板ユニット鉤部６２０が受け金具２０５の係合孔２０５ａへ進入し、頭部６２０ｂが受け金具２０５の背面側にて係止される。従って、第２制御基板ユニット２０２の施錠状態においては、基板ユニット鉤部６２０が、自身上側の係合凹部６２０ａにおいて受け金具２０５と係合し、第２制御基板ユニット２０２の開放が規制される。
【０１２２】
さらに、第１摺動杆６０５の上部及び中部の２箇所には、支持側壁部６０７の後端縁部において、裏パックユニット２０３施錠用の係合部としての裏パック鉤部６２１，６２２が設けられている。
【０１２３】
両裏パック鉤部６２１，６２２のうち上側の裏パック鉤部６２１は、上部の前面枠セット施錠部６１０と中部の前面枠セット施錠部６１１との間の高さ位置に設けられている。一方、下側の裏パック鉤部６２２は、中部の前面枠セット施錠部６１１より下方位置で、支持側壁部６０７の膨出部６０７ａ（シリンダ錠７００の配置位置）より上方位置に設けられている。
【０１２４】
各裏パック鉤部６２１，６２２についてより詳しく説明すると、裏パック鉤部６２１，６２２は、支持側壁部６０７の後端縁部から後方へ延出し、その上辺部に係合凹部６２１ａ，６２２ａが形成され、当該係合凹部６２１ａ，６２２ａより後方の頭部６２１ｂ，６２２ｂは後方へ向け先細りしている。
【０１２５】
一方、裏パックユニット２０３には、その前面側右側辺（図４参照）に沿って、被係合部としての長尺状の受け金具２０４が取付けられている。受け金具２０４には、裏パック鉤部６２１，６２２に対応して、上下２箇所に矩形状の係合孔２０４ａが形成されている。
【０１２６】
そして、裏パックユニット２０３を閉鎖する際においては、裏パック鉤部６２１，６２２が受け金具２０４の各係合孔２０４ａへ進入し、頭部６２１ｂ，６２２ｂが受け金具２０４の背面側にて係止される。従って、裏パックユニット２０３の施錠状態においては、裏パック鉤部６２１，６２２が、自身上側の係合凹部６２１ａ，６２２ａにおいて受け金具２０４と係合し、裏パックユニット２０３の開放が規制される。
【０１２７】
また、基板ユニット鉤部６２０及び裏パック鉤部６２１，６２２に対応して、支持板６０３の後端縁部には、後方へ延出した延出部６２４，６２５，６２６が形成されている。延出部６２４，６２５，６２６は、基板ユニット鉤部６２０及び裏パック鉤部６２１，６２２の付根部と重畳するように形成されており、各鉤部６２０，６２１，６２２を支持している。
【０１２８】
なお、上側の裏パック鉤部６２１の付根部６２１ｃは、下方へ延設されており、その上下方向の形成区間が他の部位よりも比較的長めに設定されている。このため、裏パック鉤部６２１の付根部６２１ｃの下端部は、裏パック鉤部６２１の頭部６２１ｂの高さ位置より、かなり下方に位置している。また、これに対応して、支持板６０３の延出部６２５も、その上下方向の形成区間が他の延出部６２４，６２６に比べて比較的長めに設定されている。これは、後述するように、上側の裏パック鉤部６２１の付根部６２１ｃの下部にコイルばねＣ１を掛けるためである。
【０１２９】
また、取付側壁部６０６には、各前面枠セット施錠部６１０，６１１，６１２よりもやや下方位置において、上下方向に長い長円状のガイド孔６１３，６１４，６１５が形成されている。これらガイド孔６１３，６１４，６１５を介して、基枠６０１内側から取付板６０２に対しガイドピン６１６，６１７，６１８が固定されている。
【０１３０】
一方、支持板６０３には、上下方向３箇所に、第１摺動杆６０５の後方への動きを規制する規制突起６２８，６２９，６３０が設けられている。規制突起６２８，６２９，６３０は、第１摺動杆６０５の取付状態の安定性を高める機能とともに、第１摺動杆６０５の摺動動作の安定性を高めるガイド部としての機能を備えている。従って、第１摺動杆６０５は、取付板６０２や規制突起６２８，６２９，６３０により前後方向への動きを規制され、かつ、上記ガイドピン６１６，６１７，６１８や後述する第２摺動杆６３５により左右方向への動きを規制されつつ、上下方向へ摺動できるようになっている。
【０１３１】
なお、第１摺動杆６０５の摺動範囲のうち、ガイド孔６１３，６１４，６１５の下縁部がガイドピン６１６，６１７，６１８に当接する位置が、前面枠セット施錠部６１０，６１１，６１２、基板ユニット鉤部６２０及び裏パック鉤部６２１，６２２がそれぞれ対応する被係合部、すなわち前面枠セット鉤部１７ａ，１７ｂ，１７ｃ、受け金具２０５及び受け金具２０４に係合される位置となる。つまり、この位置が第１摺動杆６０５の施錠位置（基準位置）に相当する。従って、第１摺動杆６０５がこの位置にある状態が、前面枠セット１４の施錠機構、第２制御基板ユニット２０２の施錠機構及び裏パックユニット２０３の施錠機構の施錠状態に相当する。
【０１３２】
これに対し、ガイド孔６１３，６１４，６１５の上縁部がガイドピン６１６，６１７，６１８に当接する位置が、前面枠セット施錠部６１０，６１１，６１２、基板ユニット鉤部６２０及び裏パック鉤部６２１，６２２が各被係合部から離脱する位置となる。つまり、この位置が第１摺動杆６０５の解錠位置に相当する。従って、第１摺動杆６０５がこの位置にある状態が、前面枠セット１４の施錠機構、第２制御基板ユニット２０２の施錠機構及び裏パックユニット２０３の施錠機構の解錠状態に相当する。
【０１３３】
次に、内枠１２の施錠機構（本体施錠機構）に係る部分について説明する。基枠６０１の内側には、前記施錠機構の主要構成部となる第２摺動杆６３５が上下方向に摺動可能なように配設されている。第２摺動杆６３５が本実施形態における摺動部材に相当する。
【０１３４】
第２摺動杆６３５は、第１摺動杆６０５の支持側壁部６０７に重畳するように配設された長尺状の本体部６３６と、内枠１２施錠用の係合部としての上下一対の内枠鉤部６３７，６３８とを備えている。
【０１３５】
支持板６０３の膨出部６０３ａ（支持側壁部６０７の膨出部６０７ａ）に対応する本体部６３６の所定の上下区間には、同様に内枠１２内方側へ膨出した膨出部６３６ａが形成されている。但し、本体部６３６の膨出部６３６ａの形成区間は、支持側壁部６０７の膨出部６０７ａの形成区間よりも短く設定されており、第２摺動杆６３５の摺動の妨げとならないようになっている。
【０１３６】
両内枠鉤部６３７，６３８のうち上側の内枠鉤部６３７は、上側の前面枠セット施錠部６１０のやや下方位置でかつ上側の裏パック鉤部６２１より上方位置に設けられている。一方、下側の内枠鉤部６３８は、下側の前面枠セット鉤部６１２のやや下方位置でかつ本体部６３６の下端部において設けられている。
【０１３７】
内枠鉤部６３７，６３８は、本体部６３６の後端縁部より後方へ延出した基部６３７ａ，６３８ａと、当該基部６３７ａ，６３８ａからさらに後方へ延出した軸部６３７ｂ，６３８ｂと、当該軸部６３７ｂ，６３８ｂの後端側において後方へ先細りするように設けられた略三角形状の頭部６３７ｃ，６３８ｃとから構成されている。頭部６３７ｃ，６３８ｃの下端部は、軸部６３７ｂ，６３８ｂより下方に突出しており、当該突出部分が係止爪として機能する。従って、内枠１２の施錠状態においては、内枠鉤部６３７，６３８が、自身の下側において上記外枠１１の鉤受部８４，８５に係止され、内枠１２の開放が規制される。
【０１３８】
内枠鉤部６３７，６３８に対応して、支持板６０３の後端縁部には、後方へ延出した延出部６４１，６４２が形成されている。延出部６４１，６４２は、内枠鉤部６３７，６３８の基部６３７ａ，６３８ａと重畳するように形成されており、基部６３７ａ，６３８ａと常時略当接状態で内枠鉤部６３７，６３８を支持している。なお、延出部６４１，６４２は、内枠鉤部６３７，６３８の基部６３７ａ，６３８ａと略当接状態となるように、上記第１摺動杆６０５の厚み分を考慮し、その付根部において支持板６０３と段差をもって形成されている。
【０１３９】
内枠鉤部６３７，６３８の基部６３７ａ，６３８ａには、上下方向に長い長円状のガイド孔６４３，６４４が形成されている。これらガイド孔６４３，６４４を介して、基枠６０１内側（内枠１２外方側）から延出部６４１，６４２に対しガイドピン６４５，６４６が固定されている。
【０１４０】
また、第１摺動杆６０５の取付側壁部６０６には、上下方向２箇所に、第２摺動杆６３５の内枠１２外方側への動きを規制する規制突起６４７，６４８が設けられている。また、取付板６０２の下端部近傍には、前記規制突起６４７，６４８と同様の規制突起６４９が設けられている。これら規制突起６４７，６４８，６４９は、第２摺動杆６３５の取付状態の安定性を高める機能とともに、第２摺動杆６３５の摺動動作の安定性を高めるガイド部としての機能を備えている。従って、第２摺動杆６３５は、第１摺動杆６０５の支持側壁部６０７や規制突起６４７，６４８，６４９により左右方向への動きを規制され、かつ、第１摺動杆６０５の取付側壁部６０６や支持板６０３に固定されたガイドピン６４５，６４６により前後方向への動きを規制されつつ、上下方向へ摺動できるようになっている。
【０１４１】
なお、第２摺動杆６３５の摺動範囲のうち、ガイド孔６４３，６４４の上縁部がガイドピン６４５，６４６に当接する位置が、内枠鉤部６３７，６３８が鉤受部８４，８５に係合される位置となる。つまり、この位置が第２摺動杆６３５の施錠位置（基準位置）に相当する。従って、第２摺動杆６３５がこの位置にある状態が、内枠１２の施錠機構の施錠状態に相当する。
【０１４２】
これに対し、ガイド孔６４３，６４４の下縁部がガイドピン６４５，６４６に当接する位置が、内枠鉤部６３７，６３８が鉤受部８４，８５から離脱した位置となる。つまり、この位置が第２摺動杆６３５の解錠位置に相当する。従って、第２摺動杆６３５がこの位置にある状態が、内枠１２の施錠機構の解錠状態に相当する。
【０１４３】
さて、第１摺動杆６０５及び第２摺動杆６３５は、付勢手段としてのコイルばねＣ１により、それぞれ上方又は下方へ付勢されている。より詳しくは、第２摺動杆６３５における本体部６３６の後端縁部には、第１摺動杆６０５の裏パック鉤部６２１の付根部６２１ｃ及び支持板６０３の延出部６２５の形成位置に対応して、後方に向け延出した延出部６５０が形成されている。そして、この延出部６５０に設けられたフック部６５３にコイルばねＣ１の一端が掛けられるとともに、他端が第１摺動杆６０５（裏パック鉤部６２１の付根部６２１ｃ）に設けられたフック部６５４に掛けられている。
【０１４４】
上記コイルばねＣ１の引張力によって、通常時には、第１摺動杆６０５は、ガイド孔６１３，６１４，６１５の下縁部がガイドピン６１６，６１７，６１８に付勢される位置、つまり基準位置において下方への動作が抑えられた状態で保持されている。一方、第２摺動杆６３５は、ガイド孔６４３，６４４の上縁部がガイドピン６４５，６４６に付勢される位置、つまり基準位置において上方への動作が抑えられた状態で保持されている。そして、後述するシリンダ錠７００が操作された場合には、コイルばねＣ１の引張力に抗して、第１摺動杆６０５が下方へ、又は第２摺動杆６３５が上方へ摺動変位する。
【０１４５】
さて、取付板６０２の幅広部６０２ａには、錠部材としてのシリンダ錠７００が取付けられている。図２０に示すように、シリンダ錠７００は、略筒状をなすシリンダ本体７０１と、シリンダ本体７０１内部に設けられ、内部に鍵穴７０２を有してなる錠軸７０３と、シリンダ本体７０１の外周に設けられた外筒７０４とを備えている。
【０１４６】
シリンダ錠７００は、取付板６０２の取付孔６０２ｂに対しシリンダ本体７０１を挿通した状態で、フランジ部７０５を取付板６０２の背面側にネジ止めすることにより固定されている。
【０１４７】
シリンダ本体７０１には、該シリンダ本体７０１の内外を連通する上下８つずつ、合計１６個の透孔７０６が形成されている。これに対応して、錠軸７０３にも、各透孔７０６と連通する１６個の透孔７０８が形成されている。かかる透孔７０８の鍵穴７０２側は、後述するピン７１４等の収容部材が鍵穴７０２内に脱落しないように他の部位よりも小径に形成されている。
【０１４８】
各透孔７０６内には、それぞれバネ７０９が収容されている。バネ７０９の一端は前記外筒７０４に当接し、他端には台座７１１が連結されている。また、各透孔７０８内には、前記台座７１１に支持されるようにして、複数のスペーサ７１２，７１３及びピン７１４が収容されている。そして、これらピン７１４、スペーサ７１２，７１３、台座７１１は、バネ７０９の伸縮によって各透孔７０６，７０８内を上下動可能となっている。このうち、ピン７１４は、前記透孔７０８の鍵穴７０２側の小径部を介して鍵穴７０２内に出没可能となっている。
【０１４９】
上記構成により、鍵穴７０２内への鍵Ｋの挿入時には、当該鍵Ｋの上下両側の凹凸形状に沿って各ピン７１４等が上下動する。そして、鍵Ｋの挿入完了状態にあっては、図２１に示すように各ピン７１４がそれぞれ鍵Ｋの溝に入り込んだ状態となり、ピン７１４の基端面、又は、スペーサ７１２若しくは７１３の一方の端面と、錠軸７０３の外周面とが面一になる。これにより、鍵Ｋの挿入完了状態にあっては、鍵Ｋの回動操作に伴って錠軸７０３が回動可能となる。つまり、このシリンダ錠７００は、少なくとも鍵穴７０２に鍵Ｋを挿し込まない限り錠軸７０３を回動させることができない内部構造となっている。
【０１５０】
また、錠軸７０３の後端部には、鍵穴７０２に挿入された鍵Ｋの回動動作を第１摺動杆６０５又は第２摺動杆６３５に伝達する係合部材としてのカム板７２０が固定されている。
【０１５１】
カム板７２０は、図２２に示すように上下一対の上係合爪７２０ａ及び下係合爪７２０ｂを備えている。これらの係合爪７２０ａ，７２０ｂは、カム板７２０の回動方向に所定間隔を置いて形成されるとともに、前後方向にずれて形成されている。より詳しくは、上係合爪７２０ａが下係合爪７２０ｂよりも後方に位置している（図１６等参照）。
【０１５２】
これに合わせて、第１摺動杆６０５の膨出部６０７ａには、係合爪７２０ａ，７２０ｂが出入可能な上下一対の上係合孔７２５及び下係合孔７２６が形成されている。同様に、第２摺動杆６３５の膨出部６３６ａには、係合爪７２０ａ，７２０ｂが出入可能な上下一対の上係合孔７２７及び下係合孔７２８が形成されている。また、支持板６０３には、係合爪７２０ａ，７２０ｂの動作を妨げないように透孔７３０が形成されている。
【０１５３】
第１摺動杆６０５の係合孔７２５，７２６及び第２摺動杆６３５の係合孔７２７，７２８は、第１摺動杆６０５及び第２摺動杆６３５の重畳状態にあっては、少なくとも上係合孔７２５，７２７同士、及び、下係合孔７２６，７２８同士が連通状態となっている（図２２参照）。
【０１５４】
なお、第１摺動杆６０５側では、両係合孔７２５，７２６のうち上方に位置する上係合孔７２５の上下方向の形成区間よりも、下方に位置する下係合孔７２６の形成区間が比較的長めに設定されている。これに対し、第２摺動杆６３５側では、両係合孔７２７，７２８のうち下方に位置する下係合孔７２８の上下方向の形成区間よりも、上方に位置する上係合孔７２７の形成区間の方が比較的長めに設定されている。これは、後述するように第１摺動杆６０５又は第２摺動杆６３５の一方をカム板７２０が摺動させる際に、他方に上係合爪７２０ａ又は下係合爪７２０ｂを接触させないようにして、他方を摺動させないようにするためである。
【０１５５】
上記構成のもと、図２２（ａ）に示すように、シリンダ錠７００の鍵穴７０２に鍵Ｋが挿し込まれていない状態で、錠軸７０３及びカム板７２０が基準位置にある場合には、上係合爪７２０ａの先端が、第１摺動杆６０５及び第２摺動杆６３５の上係合孔７２５，７２７に挿通状態となるとともに、下係合爪７２０ｂの先端が、第１摺動杆６０５及び第２摺動杆６３５の下係合孔７２６，７２８に挿通状態となる。また、上述したように、本実施形態のシリンダ錠７００は、鍵穴７０２に鍵Ｋの挿入がない場合には錠軸７０３及びカム板７２０を回動させることができない状態（ロック状態）となるため、カム板７２０が基準位置にある場合には、係合爪７２０ａ，７２０ｂにより第１摺動杆６０５及び第２摺動杆６３５の摺動が規制されることとなる。例えば、仮に鍵Ｋを用いずに、基準位置にある第１摺動杆６０５に対し線材等を不正に引っ掛けて、当該第１摺動杆６０５に対し解錠方向への外力がかけられた場合には、係合爪７２０ａ，７２０ｂが第１摺動杆６０５の係合孔７２５，７２６の縁部に引っ掛かり、第１摺動杆６０５の解錠方向への摺動変位が、係合孔７２５等の遊び長を除き実質的に規制される。
【０１５６】
次に、施錠装置６００の作用について詳しく説明する。先ず前面枠セット１４の施錠及び解錠について詳しく説明する。前面枠セット１４の施錠状態においては、第１摺動杆６０５が基準位置をとることにより、上述したように前面枠セット鉤部１７ａ，１７ｂ，１７ｃが前面枠セット施錠部６１０，６１１，６１２に係合されており、前面枠セット１４の開放が規制される。
【０１５７】
そして、前面枠セット１４を解錠する際には、シリンダ錠７００の鍵穴７０２に鍵Ｋを挿入し、パチンコ機１０の正面側（図１参照）から見て反時計回り方向に回動させる。これにより、カム板７２０が同方向に回動して、上係合爪７２０ａが第１摺動杆６０５の上係合孔７２５の下縁部に接触する〔図２２（ｂ）参照〕。但し、図２２（ｂ）は、パチンコ機１０の背面側から見た図であるため、カム板７２０の回動方向は時計回り方向となっている。
【０１５８】
その後、さらにカム板７２０を回動させていくに従って、上係合爪７２０ａがコイルばねＣ１の引張力に抗して第１摺動杆６０５を下方へ押し下げていく。同時に、下係合爪７２０ｂは第１摺動杆６０５及び第２摺動杆６３５に作用を及ぼすことなく、両下係合孔７２６，７２８から離脱する。この際、上係合爪７２０ａが挿通された第２摺動杆６３５の上係合孔７２７の下部には、上係合爪７２０ａが下方へ変位するスペースが確保されているため、第１摺動杆６０５を押し下げていく過程において、上係合爪７２０ａが第２摺動杆６３５に当接せず、その動作が妨げられないようになっている。
【０１５９】
第１摺動杆６０５が下方へ摺動すると、すべての前面枠セット施錠部６１０，６１１，６１２と、前面枠セット鉤部１７ａ，１７ｂ，１７ｃとの係合が解除され、前面枠セット１４の開放が許容される。また、前面枠セット１４が開放された時点で、鍵Ｋを操作する手の力を緩めると、コイルばねＣ１の引張力により、第１摺動杆６０５は上方へ引き上げられ、基準位置に復帰する。これに伴い、カム板７２０及び錠軸７０３も基準位置に復帰する。
【０１６０】
次に内枠１２の施錠及び解錠について詳しく説明する。内枠１２の施錠状態においては、第２摺動杆６３５が基準位置をとることにより、内枠鉤部６３７，６３８が外枠１１の鉤受部８４，８５に係止され、内枠１２の開放が規制されている。
【０１６１】
そして、内枠１２を解錠する際には、シリンダ錠７００の鍵穴７０２に鍵Ｋを挿入し、パチンコ機１０の正面側から見て時計回り方向に回動させる。これにより、カム板７２０が同方向に回動して、下係合爪７２０ｂが第２摺動杆６３５の下係合孔７２８の上縁部に接触する〔図２２（ｃ）参照〕。但し、図２２（ｃ）は、パチンコ機１０の背面側から見た図であるため、カム板７２０の回動方向は反時計回り方向となっている。
【０１６２】
その後、さらにカム板７２０を回動させていくに従って、下係合爪７２０ｂがコイルばねＣ１の引張力に抗して第２摺動杆６３５を上方へ押し上げていく。同時に、上係合爪７２０ａは第１摺動杆６０５及び第２摺動杆６３５に作用を及ぼすことなく、両上係合孔７２５，７２７から離脱する。この際、下係合爪７２０ｂが挿通された第１摺動杆６０５の下係合孔７２６の上部には、下係合爪７２０ｂが上方へ変位するスペースが確保されているため、第２摺動杆６３５を押し上げていく過程において、下係合爪７２０ｂが第１摺動杆６０５に当接せず、その動作が妨げられないようになっている。
【０１６３】
第２摺動杆６３５が上方へ摺動すると、内枠鉤部６３７，６３８と、鉤受部８４，８５との係合が解除され、内枠１２の開放が許容される。また、内枠１２が開放された時点で、鍵Ｋを操作する手の力を緩めると、コイルばねＣ１の引張力により、第２摺動杆６３５は下方へ引き下げられ、基準位置に復帰する。これに伴い、カム板７２０及び錠軸７０３も基準位置に復帰する。
【０１６４】
次に第２制御基板ユニット２０２及び裏パックユニット２０３の施錠及び解錠について詳しく説明する。
【０１６５】
第２制御基板ユニット２０２の施錠状態においては、前面枠セット１４の場合と同様に第１摺動杆６０５が基準位置をとることにより、基板ユニット鉤部６２０が第２制御基板ユニット２０２の受け金具２０５に係合され、第２制御基板ユニット２０２の開放が規制される。
【０１６６】
同様に、裏パックユニット２０３の施錠状態においては、第１摺動杆６０５が基準位置をとることにより、裏パック鉤部６２１，６２２が裏パックユニット２０３の受け金具２０４に係合され、裏パックユニット２０３の開放が規制されている。
【０１６７】
そして、第２制御基板ユニット２０２及び裏パックユニット２０３を解錠する際には、内枠１２を開放させた後、前面枠セット１４の場合と同様にシリンダ錠７００の鍵穴７０２に挿入した鍵Ｋをパチンコ機１０の正面側から見て反時計回り方向に回動させる。これにより、カム板７２０が同方向に回動して、上係合爪７２０ａが第１摺動杆６０５の上係合孔７２５の下縁部に接触する。その後、さらにカム板７２０を回動させていくに従って、上係合爪７２０ａがコイルばねＣ１の引張力に抗して第１摺動杆６０５を下方へ押し下げていくと、基板ユニット鉤部６２０と受け金具２０５との係合が解除され、第２制御基板ユニット２０２の開放が許容されるとともに、裏パック鉤部６２１，６２２と受け金具２０４との係合が解除され、裏パックユニット２０３の開放が許容される。
【０１６８】
上述したように、本実施形態では、シリンダ錠７００の鍵穴７０２に鍵Ｋが挿入されていない場合には、第１摺動杆６０５及び第２摺動杆６３５の摺動が規制されるため、開状態にある内枠１２、前面枠セット１４、第２制御基板ユニット２０２又は裏パックユニット２０３を施錠する際には、鍵Ｋを用いなければ施錠を行うことができない。このため、例えば鍵Ｋを用いずに開状態にある内枠１２を閉じた場合には、内枠鉤部６３７，６３８の頭部６３７ｃ，６３８ｃの傾斜部位が鉤受部８４，８５の鉤孔部８４ａ，８５ａの下縁部とぶつかって第２摺動杆６３５に上方向への外力が加わっても、第２摺動杆６３５は上方へ摺動せず、内枠１２を閉状態とすることはできない。従って、開状態にある内枠１２を施錠する際には、鍵Ｋを用いてシリンダ錠７００を操作し、鉤受部８４，８５によって妨げられない位置、すなわち内枠鉤部６３７，６３８の解錠位置まで第２摺動杆６３５を摺動変位させた状態で、内枠１２を閉じていき、頭部６３７ｃ，６３８ｃが鉤受部８４，８５の鉤孔部８４ａ，８５ａの下縁部を越えて内枠１２が完全に閉じた状態とした上で、第２摺動杆６３５を係止位置へ戻すといった方法がとられる。この他、シリンダ錠７００の鍵穴７０２に鍵Ｋを挿入した状態のまま、当該鍵Ｋを操作することなく、内枠１２を閉じていく方法も可能である。この場合、内枠１２を閉じていき、内枠鉤部６３７，６３８の頭部６３７ｃ，６３８ｃの傾斜部位が鉤受部８４，８５の鉤孔部８４ａ，８５ａの下縁部にぶつかると、第２摺動杆６３５に上方向への外力が加わり、第２摺動杆６３５がコイルばねＣ１の引張力に抗して上方へ摺動する。そして、内枠鉤部６３７，６３８の頭部６３７ｃ，６３８ｃが鉤受部８４，８５の鉤孔部８４ａ，８５ａの下縁部を乗り越えると、第２摺動杆６３５がコイルばねＣ１の引張力により元の位置に戻る。これにより、内枠鉤部６３７，６３８が鉤受部８４，８５に係止される。もちろん、前面枠セット１４や、第２制御基板ユニット２０２、裏パックユニット２０３の施錠に関しても同様の施錠方法で行うことができる。
【０１６９】
以上詳述したように、本実施形態では、内枠１２の施錠機構、前面枠セット１４の施錠機構、第２制御基板ユニット２０２の施錠機構及び裏パックユニット２０３の施錠機構を１つの施錠装置６００に一体化しているため、部品点数の増加を抑制するとともに、メンテナンス時等における作業性の向上などの利便性の向上を図ることができる。
【０１７０】
また、内枠鉤部６３７，６３８等の各鉤部が第１摺動杆６０５及び第２摺動杆６３５に一体形成されるとともに、シリンダ錠７００の鍵穴７０２に鍵Ｋが挿入されていない状態では、第１摺動杆６０５及び第２摺動杆６３５の摺動が規制される構成となっている。このため、例えば、鍵Ｋを用いずに線材等によって第１摺動杆６０５又は第２摺動杆６３５に対し直接の解錠操作、すなわち不正な解錠操作が行われた場合でも、第１摺動杆６０５又は第２摺動杆６３５は施錠位置に維持されるため、内枠１２等の開放は許容されない。結果として、線材等を用いた不正解錠に対する防御性能の向上が図られる。
【０１７１】
さらに、内枠１２の背面側において主制御装置２６１等の制御機器を覆うように裏パックユニット２０３が配置されるとともに、当該裏パックユニット２０３が内枠１２に対し施錠される構成となっている。このため、仮に内枠１２を不正に開放された場合でも、上記裏パックユニット２０３により主制御装置２６１等の制御機器に対する不正行為を行うことは困難となる。結果として、線材等を用いた不正解錠に対する防御性能をさらに高めることができる。
【０１７２】
加えて、本実施形態では、施錠装置６００が内枠１２の前面側に取付けられており、外枠１１等に係合される内枠鉤部６３７，６３８等の各鉤部だけが、内枠１２の背面側に露出した状態となる。このため、内枠１２の背面側に露出する部分を極力少なくでき、仮に内枠１２と外枠１１との隙間から針金等の線材を差込み、内枠１２を不正に解錠する不正行為を行おうとした場合でも、線材を引っ掛けることのできる部位が少なく、前記不正行為を行うことはより困難となる。結果として、線材等を用いた不正解錠に対する防御性能をさらに高めることができる。
【０１７３】
また、施錠装置６００が取付溝部９０１に嵌め込まれた状態では、支持板６０３及びフランジ部６０４がそれぞれ取付溝部９０１の側壁面に略当接状態となっている。従って、基枠６０１の背面側に配設された第１摺動杆６０５等の各種部材が、取付溝部９０１及び基枠６０１により周囲を囲まれた状態となる。このため、仮に前面枠セット１４と内枠１２との隙間から線材等が差込まれた場合でも、第１摺動杆６０５等が配設された基枠６０１の背面側まで線材等を進入させ、第１摺動杆６０５等を操作することは困難となる。結果として、さらなる防御性能の向上を図ることができる。
【０１７４】
また、本実施形態では、施錠装置６００を内枠１２の前面側からネジ９０４により固定する構造となっているため、内枠１２の背面側に設けられる各種制御装置や配線等に妨げられることなく、取付け作業や取替え作業等を比較的容易に行うことが可能となる。結果として、作業性の向上など利便性の向上を図ることができる。
【０１７５】
また、本実施形態では、施錠装置６００に対応する上下区間全域を内枠１２の背面側から覆う延出壁部８３が外枠１１に形成されている。これにより、外枠１１の背面側から線材等を進入させ、当該線材等により内枠鉤部６３７，６３８等の各鉤部を操作することがさらに困難となる。結果として、さらなる防御性能の向上を図ることができる。
【０１７６】
さらに、内枠鉤部６３７，６３８が鉤受部８４，８５に係合した状態では、鉤受部８４，８５の周壁部が内枠鉤部６３７，６３８の周囲を囲んだ状態となる。これにより、線材等により内枠鉤部６３７，６３８と鉤受部８４，８５との係合を外すことは困難となる。結果として、さらなる防御性能の向上を図ることができる。
【０１７７】
なお、上述した実施形態の記載内容に限定されず、例えば次のように実施してもよい。
【０１７８】
（ａ）上記実施形態では、内枠１２の施錠機構、前面枠セット１４の施錠機構、第２制御基板ユニット２０２の施錠機構及び裏パックユニット２０３の施錠機構が単一の施錠装置６００によって具現化されている。しかしながら、施錠装置６００の構成は上記実施形態に限定されるものではない。例えば、第２制御基板ユニット２０２及び裏パックユニット２０３が内枠１２に対し施錠されない構成においては、当該ユニット２０２，２０３の施錠機構を省略し、内枠１２の施錠機構及び前面枠セット１４の施錠機構のみからなる施錠装置を採用してもよい。また、第２制御基板ユニット２０２及び裏パックユニット２０３の一方のみが内枠１２に対し施錠される構成とし、これに即した施錠装置を採用してもよい。また、第２制御基板ユニット２０２及び裏パックユニット２０３に加え、第１制御基板ユニット２０１が内枠１２に対し施錠される構成など、内枠１２の背面側において３つ以上の扉体が施錠される構成とし、これに即した施錠装置を採用してもよい。
【０１７９】
（ｂ）上記実施形態では、前面枠セット１４の施錠機構に関し、前面枠セット１４側に、爪部を有する前面枠セット鉤部１７ａ，１７ｂ，１７ｃが設けられ、施錠装置６００側に、前記爪部と係合する前面枠セット施錠部６１０，６１１，６１２が設けられているが、施錠装置６００側に爪部を有する鉤部材を設け、前面枠セット１４側に当該爪部と係合する受部を設けてもよい。この場合、解錠の際には、施錠装置６００側の鉤部材が動作することとなる。もちろん、第２制御基板ユニット２０２や裏パックユニット２０３の施錠機構に関しても同様である。
【０１８０】
（ｃ）第１摺動杆６０５及び第２摺動杆６３５の摺動方向が逆であってもよい。つまり、上記実施形態では、例えば第２摺動杆６３５が上方へ摺動することにより、内枠鉤部６３７，６３８が鉤受部８４，８５から離脱する構成となっているが、第２摺動杆６３５が下方へ摺動することにより、内枠鉤部６３７，６３８が鉤受部８４，８５から離脱する構成を採用してもよい。
【０１８１】
（ｄ）上記実施形態では、シリンダ錠７００の鍵穴７０２に鍵Ｋを挿入し、時計回り方向に回動操作することで内枠１２が解錠され、反時計回りに回動操作することで前面枠セット１４、第２制御基板ユニット２０２及び裏パックユニット２０３が解錠される構成となっている。これに限らず、少なくとも内枠１２と前面枠セット１４との解錠操作が異なっていれば、他の解錠操作であってもよい。例えば、それぞれ解錠操作が異なる構成としてもよい。一例としては、シリンダ錠７００とは異なるシリンダ錠を採用するとともに、第３，第４の摺動杆を備えることにより、時計回り方向に回動操作することで内枠１２が解錠され、反時計回りに回動操作することで前面枠セット１４が解錠され、錠軸を奥側へスライドさせた状態で時計回り方向に回動操作することで第２制御基板ユニット２０２が解錠され、錠軸を奥側へスライドさせた状態で反時計回り方向に回動操作することで裏パックユニット２０３が解錠される構成などが挙げられる。
【０１８２】
（ｅ）少なくとも外枠１１に対し内枠１２を施錠した状態においては、当該内枠１２に対し施錠された第２制御基板ユニット２０２及び裏パックユニット２０３の施錠状態を解錠不能となり、内枠１２を開放した状態においては、両ユニット２０２，２０３の施錠状態を解錠可能となる構成としてもよい。このようにすれば、線材等を用いた不正解錠に対する防御性能をさらに高めることができる。
【０１８３】
（ｆ）内枠鉤部６３７，６３８等の各鉤部の構成は上記実施形態に限定されるものではない。例えば、上記実施形態では、内枠鉤部６３７，６３８等の各鉤部が第１摺動杆６０５及び第２摺動杆６３５に一体形成されているが、これに限らず、内枠鉤部６３７，６３８等を構成する鉤部材がネジ等の固定手段により第１摺動杆６０５や第２摺動杆６３５に対し相対変位不能に固定された構成としてもよいし、内枠鉤部６３７，６３８等を構成する鉤部材が第１摺動杆６０５や第２摺動杆６３５に対し相対変位可能に設けられた構成としてもよい。
【０１８４】
また、上記実施形態では、先端に向け先細りした略三角形状の頭部を有した鉤部を採用しているが、これに限らず、例えば頭部の先端が上下方向に沿って略直線状に形成された鉤部を採用してもよい。上記実施形態では、シリンダ錠７００への鍵Ｋの非挿入状態において、第１摺動杆６０５及び第２摺動杆６３５の摺動変位がカム板７２０により規制される構成を採用しているため、仮に鍵Ｋを用いずに開状態にある内枠１２等を無理に閉じてしまうと、第１摺動杆６０５や第２摺動杆６３５に解錠方向への力がかかり、カム板７２０が破損してしまうおそれがある。これに対し、前記構成を採用すれば、仮に鍵Ｋを用いずに開状態にある内枠１２等を閉じた際に、内枠鉤部６３７，６３８等の鉤部の頭部先端が鉤受部８４，８５等の被係合部に接触した場合でも、第１摺動杆６０５や第２摺動杆６３５には解錠方向への力がかからないため、上記不具合は生じない。
【０１８５】
また、内枠鉤部６３７，６３８等の各鉤部及びこれに対応する鉤受部８４，８５等の各被係合部の数は、上記実施形態の数に限定されるものではなく、例えば１つであってもよい。
【０１８６】
（ｇ）上記実施形態では、内枠１２の前面側において、施錠装置６００を取付けるための装置取付部としての取付溝部９０１が右側辺部に沿って形成されているが、装置取付部の構成は取付溝部９０１に限定されるものではない。例えば、内枠１２の右側辺部に沿って凸状に形成された装置取付部を採用してもよい。
【０１８７】
（ｈ）上記実施形態では、施錠装置６００の外郭を構成する基枠６０１が、内枠１２に固定される取付板６０２と、当該取付板６０２の内枠１２内方側の端縁から後方に突出した支持板６０３と、取付板６０２の内枠１２外方側の端縁から後方に突出したフランジ部６０４とからなり、横断面略コ字状をなしている。しかしながら、基枠６０１の形状はこれに限定されるものではない。例えばフランジ部６０４を省略し、横断面略Ｌ字状となる構成としてもよい。
【０１８８】
（ｉ）上記実施形態では、施錠装置６００を内枠１２の前面側からネジ９０４により固定する構造となっている。これに限らず、例えば施錠装置６００の基枠６０１に係止爪等を形成し、当該係止爪等により施錠装置６００が取付溝部９０１に固定される構成としてもよい。また、施錠装置６００を内枠１２の前面側から取付溝部９０１に嵌め込んだ状態で、内枠１２の背面側よりネジ９０４により固定する構成としてもよい。
【０１８９】
（ｊ）上記実施形態では、施錠装置６００に対応する上下区間全域を内枠１２の背面側から覆う延出壁部８３が外枠１１に形成されている。これに限らず、延出壁部８３を省略した構成としてもよいし、内枠鉤部６３７，６３８等の鉤部に対応する部分においてのみ延出壁部８３が形成された構成としてもよい。
【０１９０】
（ｋ）上記実施形態では、内枠鉤部６３７，６３８が鉤受部８４，８５に係合した状態において、鉤受部８４，８５の周壁部が内枠鉤部６３７，６３８の周囲を囲んだ状態となる。これに限らず、内枠鉤部６３７，６３８が係合される被係合部（受け金具）と、当該被係合部に係合された内枠鉤部６３７，６３８を囲うカバー部材とを別体で備えた構成としてもよい。
【０１９１】
（ｌ）シリンダ錠７００と異なるシリンダ錠を採用してもよい。例えば、上記実施形態のシリンダ錠７００は、鍵Ｋの挿入がない場合にはロック状態となり、カム板７２０が変位不能となる。そして、第１摺動杆６０５や第２摺動杆６３５が基準位置にある場合には、上係合爪７２０ａの先端が、第１摺動杆６０５及び第２摺動杆６３５の上係合孔７２５，７２７に挿通状態となるとともに、下係合爪７２０ｂの先端が、第１摺動杆６０５及び第２摺動杆６３５の下係合孔７２６，７２８に挿通状態となる。これにより、第１摺動杆６０５及び第２摺動杆６３５の摺動が規制されることとなる。これに限らず、カム板７２０が変位不能とならないシリンダ錠を採用してもよい。また、第１摺動杆６０５や第２摺動杆６３５が基準位置にある場合において、係合爪７２０ａ，７２０ｂが係合孔７２５等に挿通状態とならず、第１摺動杆６０５や第２摺動杆６３５の摺動が規制されない構成を採用してもよい。
【０１９２】
また、キーコードを変更可能なシリンダ錠を採用してもよい。キーコードの変更手順の一例としては、まず、所定のリセットピンを押圧した状態で鍵穴に現状の鍵を挿入して回動操作した後、該鍵を引き抜く。そして、リセットピンを押圧したまま、新たに設定したい鍵を鍵穴に挿入し、前記現状の鍵とは逆向きに回動操作した後、リセットピンの押圧状態を解除してから鍵を引き抜く。以上のような操作を行うことで、新たに設定したい鍵に合ったキーコードとすることができる。これにより、遊技ホール単位で鍵を統一できるとともに、不正防止のため、定期的に鍵を変更することができる。
【０１９３】
（ｍ）上記実施形態とは異なるタイプのパチンコ機として実施してもよい。また、パチンコ機以外にも、アレンジボール機、それに類する雀球等の各種遊技機、スロットマシンとパチンコ機とを融合した形式の遊技機などとして実施してもよい。
【符号の説明】
【０１９４】
１０…パチンコ機、１１…外枠、１２…内枠、１４…前面枠セット、１７ａ，１７ｂ，１７ｃ…前面枠セット鉤部、８３…延出壁部、８４，８５…鉤受部、８４ａ，８５ａ…鉤孔部、２０２…第２制御基板ユニット、２０３…裏パックユニット、２０４，２０５…受け金具、６００…施錠装置、６０１…基枠、６０５…第１摺動杆、６１０，６１１，６１２…前面枠セット施錠部、６２０…基板ユニット鉤部、６２１，６２２…裏パック鉤部、６３５…第２摺動杆、６３７，６３８…内枠鉤部、７００…シリンダ錠、７２０…カム板、９０１…取付溝部、９０１ａ…奥壁部、９０２…ボス、９０３…ネジ孔、９０５，９０６，９０７，９０８，９０９…挿通孔、Ｋ…鍵。
【図１】
2020072822.tif 000003
【図２】
2020072822.tif 000004
【図３】
2020072822.tif 000005
【図４】
2020072822.tif 000006
【図５】
2020072822.tif 000007
【図６】
2020072822.tif 000008
【図７】
2020072822.tif 000009
【図８】
2020072822.tif 000010
【図９】
2020072822.tif 000011
【図１０】
2020072822.tif 000012
【図１１】
2020072822.tif 000013
【図１２】
2020072822.tif 000014
【図１３】
2020072822.tif 000015
【図１４】
2020072822.tif 000016
【図１５】
2020072822.tif 000017
【図１６】
2020072822.tif 000018
【図１７】
2020072822.tif 000019
【図１８】
2020072822.tif 000020
【図１９】
2020072822.tif 000021
【図２０】
2020072822.tif 000022
【図２１】
2020072822.tif 000023
【図２２】
2020072822.tif 000024
【図２３】
2020072822.tif 000025
【図２４】
2020072822.tif 000026